(57)【特許請求の範囲】
【請求項１】
文字データ、階調画像データ、及び、図形データからなる組版処理装置からの組版データを受け取り、該データをファクシミリ通信可能なデータに変換し、直接相手側に送信する装置であって、
前記文字データが有する文字の輪郭情報を基に文字の輪郭の内部を網点パターンで塗りつぶす、文字二値化手段と、
前記階調画像データを網点パターン発生手段で網点パターンの大小に置き換える、画像二値化手段と、
前記図形データが有する図形の線上及び／又は内部に網点パターンを発生させる、図形二値化手段と、
それらの二値化されたファクシミリ通信可能なデータを送信するファクシミリ通信部と、
を具備し、
前記組版データを網点パターンで送信できることを特徴とするファクシミリ通信装置。
【発明の詳細な説明】
【０００１】
【発明の属する技術分野】
本発明は、組版処理装置等により作成された文字データ、画像データ、図形データよりなる組版データを相手側ファクシミリ通信装置に直接送信できるようにしたファクシミリ通信装置に関する。
【０００２】
【従来の技術】
従来技術は特願平１-１４３５５６号公報に開示されているように、フロッピディスクから文書データを選択し、ファクシミリ通信用データに変換し、該ファクシミリ通信用データを送信するファクシミリ装置がある。これは文書データのみであるので、文書データと画像データと図形データの入り交じった組版データを直接送信することはできなかった。
【０００３】
また、特願平３-７０２５９号公報に開示されているように、ＣＡＤシステムによって作成されたベクトルデータをラスタデータに変換し、該ラスタデータを相手側のファクシミリ通信装置に送信するファクシミリ通信装置がある。これもＣＡＤシステムによって作成されたベクトルデータのみを対象としており、文書データと画像データと図形データの入り交じった組版データを直接送信することはできなかった。
【０００４】
また、以上の特願平１-１４３５５６号公報と特願平３-７０２５９号公報を組み合わせたとしても、文字データと図形データは直接送信できても、画像データは送信できないので、結局、文字データ、画像データ、図形データよりなる組版データを相手側ファクシミリ通信装置に直接送信できなかった。
【０００５】
それで、従来は組版データを１度紙に出力してからファクシミリで相手側のファクシミリ通信装置に送らなければならなかったので、手間と時間を必要としていた。また、１度出力するとゴミが付着したり汚れが出る等の問題もあった。
【０００６】
【発明が解決しようとする課題】
本発明は、以上の問題点を解決すべく、組版処理装置等により作成された文字データ、画像データ、図形データよりなる組版データを相手側ファクシミリ通信装置に直接送信できるようにしたファクシミリ通信装置を提供することを課題とする。
【０００７】
【課題を解決するための手段】
上記課題を解決するために、請求項１の発明は、文字データ、階調画像データ、及び、図形データからなる組版処理装置からの組版データを受け取り、該データをファクシミリ通信可能なデータに変換し、直接相手側に送信する装置であって、前記文字データが有する文字の輪郭情報を基に文字の輪郭の内部を網点パターンで塗りつぶす、文字二値化手段と、前記階調画像データを網点パターン発生手段で網点パターンの大小に置き換える、画像二値化手段と、前記図形データが有する図形の線上及び／又は内部に網点パターンを発生させる、図形二値化手段と、それらの二値化されたファクシミリ通信可能なデータを送信するファクシミリ通信部と、を具備し、前記組版データを網点パターンで送信できることを特徴とするファクシミリ通信装置である。このような構成とすることにより、従来、直接相手側ファクシミリ通信装置に送信できなかった処理済の組版データを、紙に出力することなしに直接送信可能とした。
【０００８】
【発明の実施の形態】
本発明の実施の形態を図面を用いて詳細に説明する。図１は本発明のファクシミリ通信装置の一実施の形態を示すブロック図である。本発明のファクシミリ通信装置１は文字二値化手段３、画像二値化手段４、図形二値化手段５及びファクシミリ通信部６を具備している。ファクシミリ通信装置１は組版処理装置２から組版済データをオンラインまたはオフラインの記憶媒体として受け取る。受け取ったデータをファクシミリ通信用データに変換するために、それぞれ文字データ、画像データ、図形データをそれぞれ文字二値化手段、画像二値化手段、図形二値化手段を用いて二値化する。二値化されたデータはファクシミリ通信部６より公衆回線７を通じて各相手側のファクシミリ通信装置８に送信される。
【０００９】
送信にあたっては、予め相手側の宛先情報を組版処理装置側で入力し、ファクシミリ通信装置１側で前記宛先情報に従い配信する手段を設けることもできる。
【００１０】
前記文字二値化手段３は文字の輪郭情報を基にして、その文字の輪郭の内部を塗りつぶす手段である。塗りつぶす代わりに指定の網点パターンで塗りつぶすこともできる。
【００１１】
画像データには、スキャナで取り込まれた写真等の階調データと図版等の高品位二値データがあり、前記階調データはドットジェネレータ等の網点発生手段で網点の大小に置き換え、前記高品位二値データ（６００ｄｐｉ以上）はファクシミリ用の解像度に間引かれる。これらを行うのが画像二値化手段である。
【００１２】
図形データはベクトルデータをラスタデータに変換し二値化するものである。図形に対して、その線上及び／又は内部に網点パターンを発生させることも可能である。これらが図形二値化手段である。
【００１３】
【実施例】
＜実施例１＞図１に示す構成のファクシミリ通信装置１を作製した。市販のファクシミリ通信部６にコンピュータにソフト的に文字二値化手段、画像二値化手段、図形二値化手段を装備させ、配線でつないだ。また、コンピュータには組版処理装置側で入力した宛先情報をファクシミリ通信部に受け渡せる手段も設けた。市販の組版装置とオンラインで結び、アウトプットを公衆回線に結び、相手側ファクシミリ通信装置に送信した。本発明のファクシミリ通信装置を用いることにより、紙に出力することなしに組版データをファクシミリ送信できた。
【００１４】
＜実施例２＞図１に示す構成のファクシミリ通信装置１を作製した。一部文字データに４０％の平網を伏せた。また、図形データの矩形に６０％、円に３０％の平網を伏せたものを実施例１と同様に相手側ファクシミリ通信装置に送信した。本発明のファクシミリ通信装置を用いることにより、紙に出力することなしに組版データをファクシミリ送信できた。
【００１５】
【発明の効果】
請求項１の発明は、ファクシミリ通信装置に文字二値化手段、画像二値化手段、図形二値化手段を設けたので、従来紙出力したものをファクシミリ送信していたが、紙出力することなしに直接相手側ファクシミリ通信装置に送信することができる。よって、送信時の手間が減り、時間、コストの低減が図れる。
【００１６】
また、二値化と同時に文字の輪郭の内部を指定の網点パターンで塗るつぶすことにより、網点となった文字も直接相手側に送信できる。さらに、図形に対しても、その線上及び／又は内部に網点パターンを発生させることにより、網点の図形を直接送信できる。
【００１７】
また、紙に出力しないのでゴミ等の付着および紙の読取時の曲がり、詰まり等のトラブルが減る。
【図面の簡単な説明】
【図１】本発明の一実施の形態を示すファクシミリ通信装置のブロック図である。
【符号の説明】
１…ファクシミリ通信装置、２…組版処理装置、３…文字二値化手段、４…画像二値化手段、５…図形二値化手段、６…ファクシミリ通信部、７…公衆回線、８…ファクシミリ通信装置
【図１】
0003669072.tif 000002